(57)【特許請求の範囲】
【請求項１】
材質の異なる部材の相互間に介在させてそれらを固着させる接着構造体であって、
前記接着構造体は、吸水性若しくは水溶性を有するベース層と、このベース層を両側に挟む粘着層とを備え、該粘着層のうちの少なくとも一方が、水溶性の粘着層からなり、
前記ベース層が、取り外すべき対象物の、水の中での複数回にわたる押圧により該ベース層への水の浸透を促進させるクッション材からなることを特徴とする接着構造体。
【請求項２】
ベース層が、多孔質材、スポンジ材、不織布、布、紙などの吸水体、もしくは水溶性の紙またはフィルムのうちから選択される少なくとも１つよりなる、請求項１記載の接着構造体。
【請求項３】
水溶性の粘着層が、ポリビニルアルコールを主成分とするものである、請求項１又は２に記載の接着構造体。
【請求項４】
化粧料を収納する合成樹脂製の容器本体と、この容器本体に一体的に取り付けられる鏡等の異質部材との組合せになる化粧料容器であって、
前記容器本体と異質部材とを接着構造体を介して固着してなり、
該接着構造体は、吸水性若しくは水溶性を有するベース層と、このベース層を両側に挟む粘着層とを備え、該粘着層のうちの少なくとも一方が、水溶性の粘着層からなり、
前記ベース層が、取り外すべき対象物の、水の中での複数回にわたる押圧により該ベース層への水の浸透を促進させるクッション材からなることを特徴とする化粧料容器。
【請求項５】
ベース層が、多孔質材、スポンジ材、不織布、布、紙などの吸水体、もしくは水溶性の紙またはフィルムのうちから選択される少なくとも１つよりなる、請求項４記載の化粧料容器。
【請求項６】
水溶性の粘着層が、ポリビニルアルコールを主成分とするものである、請求項４又は５記載の化粧料容器。
【発明の詳細な説明】
【０００１】
【発明の属する技術分野】
本発明は、プラスチックと鏡、ガラスあるいは金属材など異質のものを相互に接続する接着構造体と、この接着構造体を備えた化粧料容器に関し、使用後の廃棄に際して異質部材を簡便な手法でもって相互に分離し、確実な分別回収を実現しようとするものである。
【０００２】
【従来の技術】
異質材を相互に組合せたものとしては、プラスチックからなる筐体に鏡や金属材を貼り合わせた手鏡や化粧用コンパクト容器あるいは口紅を収納するケース等が知られており、この他にも日用品や家庭用品に数多く見られる。
【０００３】
これらのものは、ベース材の両面に粘着層を有する両面テープやホットメルトによって固着されているのが普通である。
【０００４】
ところで、近年、資源の有効活用を図る観点から、分別回収の要請が高まるなかで、かかる物品につき、異質部材同士を分離して廃棄する必要があるところ、それらを相互に取り外すのは困難な構造となっている。そこで、この問題に対応すべく、水溶性接着剤を使用した両面テープを用いた固着方法が利用されるようになってきている。しかしながら、この場合でも部材間の密着性が高いうえ、水の浸透性が悪く、分離に時間が掛かってしまう問題がある。
【０００５】
【発明が解決しようとする課題】
本発明の課題は、材質の異なる部材同士を両面テープ等にて貼り合わせた組合せ体において、各部材を簡便に分離して分別回収することができる新規な接着構造体とその接着構造体を備えた化粧料容器を提案するところにある。
【０００６】
【課題を解決するための手段】
本発明は、材質の異なる部材の相互間に介在させてそれらを固着させる接着構造体であって、
前記接着構造体は、吸水性若しくは水溶性を有するベース層と、このベース層を両側に挟む粘着層とを備え、該粘着層のうちの少なくとも一方が、水溶性の粘着層からなり、
前記ベース層が、取り外すべき対象物の、水の中での複数回にわたる押圧により該ベース層への水の浸透を促進させるクッション材からなることを特徴とする接着構造体である。
【０００７】
上記のベース層としては、多孔質材、スポンジ材、不織布、布、紙などの吸水体もしくは水溶性の紙またはフィルムのうちの何れか１つを用いることができる。
【０００８】
水溶性の粘着層は、ポリビニルアルコールを主成分とするものが適用できる。
【０００９】
また、本発明は、化粧料を収納する容器本体と、この容器本体に取り付けられる鏡等の異質部材との組合せになる化粧料容器であって、
前記容器本体と異質部材とを接着構造体を介して固着してなり、
該接着構造体は、吸水性若しくは水溶性を有するベース層と、このベース層を両側に挟む粘着層とを備え、該粘着層のうちの少なくとも一方が、水溶性の粘着層からなり、
前記ベース層が、取り外すべき対象物の、水の中での複数回にわたる押圧により該ベース層への水の浸透を促進させるクッション材からなることを特徴とする化粧料容器である。
【００１０】
上記の化粧料容器において、ベース層は、多孔質材、スポンジ材、不織布、布、紙などの吸水体、もしくは水溶性の紙またはフィルムの中から選択される少なくとも１つの素材を用いることができる。
【００１１】
水溶性の粘着層は、ポリビニルアルコールを主成分とするものがとくに望ましい。
【００１２】
【発明の実施の形態】
以下、図面を参照して本発明をより具体的に説明する。
図１は本発明に従う接着構造体を、筐体とこの筐体に貼り付ける鏡を例にして模式的に示したものである。図１において番号１は接着構造体、２は鏡、そして３は鏡２を固着するための例えばプラスチックの如き合成樹脂からなる筐体である。
【００１３】
接着構造体１は吸水性若しくは水溶性を有するベース層１ａとこのベース層１ａを両側に挟む粘着層１ｂを備えるものであって、該粘着層１ｂの両方もしくは一方がポリビニルアルコールを主成分とする水溶性の粘着層からなっている。
【００１４】
筐体３に接着構造体１を配置し、接着構造体１の上にさらに鏡２を配置することにより、該鏡２が筐体３に強固に固着されることになる。
【００１５】
筐体３から鏡２を取り外すには、接着構造体１に適量の水をかけるか、あるいはそれそのものを水の中に入れる。
【００１６】
そうすると、接着構造体１を構成する粘着層１ｂへの水の浸透により該粘着層１ｂがしだいに溶けていき、筐体３と鏡２は簡単に分離することになる。
【００１７】
本発明において接着構造体１を構成するベース層１ａとしては水が浸透しやすい多孔質材、スポンジ材、不織布、布あるいは紙等の吸水体もしくは水溶性の紙またはフィルムを用いるのが好適であり、このようなベース層１ａによれば、水がベース層１ａを通して粘着層１ｂに浸透していき、該粘着層１ｂの溶解が促進され、短時間で異質部材を分離することができる。
【００１８】
ベース層１ａとしてとくにクッション材を用いた場合、取り外すべき対象物を、水の中で複数回にわたり押圧することによってベース層１ａへの水の浸透を促進させることができ、その結果として粘着層１ｂの溶解時間をより一層短縮される。
【００１９】
図２は本発明に従う化粧料容器の容器本体の外観斜視図である。容器本体は合成樹脂にて構成することができるものであり、化粧料を収納する収納部４と、この収納部４にヒンジを介して揺動可能に連結する蓋体５からなっている。また、６は蓋体５の裏面に配置した例で示した鏡であり、この鏡６は図３に要部を示す如く、接着構造体１によって蓋体５に強固に固着されている。
【００２０】
上掲図２に示したような構成になる化粧料容器においては、その化粧料容器を廃棄するに当たり、それそのものを水の中に入れて鏡６を複数回押圧すると、接着構造体１の粘着層１ｂは勿論のこと、ベース層１ａに水が浸透していき、粘着層１ｂは比較的短時間で溶解され、鏡６が蓋体５から外れることになる。
【００２１】
本発明では、接着構造体１をベース層１ａとこれを粘着層１ｂにて挟み込む３層の積層体として例示したが、本発明はこれにのみ限定されるものではなく、積層態様は適宜に変更できる。
【００２２】
また、図４に示すように容器本体の成形と同時にベース層１ａを設け（インサート形成等）、このベース層１ａに水溶性の粘着層１ｂを介して鏡６を配置することもできる。この場合もベース層１ａは吸水性の高いものを使用するか、あるいは水溶性の紙等を使用するのがよい。
【００２３】
粘着層については、ポリビニルアルコールを主成分とする粘着剤以外のものであってもとくに水溶性のものであればその成分に限定されることはない。
【００２４】
鏡６と粘着層１ｂの間に、図示はしないが、例えば、鏡６の背面およびエッジ部を取り囲むシート状のカバーを配置することによって鏡６の取り外しに際して直接エッジ部に触れるこはないのでより安全な分離作業が実現し得る。
【００２５】
【発明の効果】
本発明によれば、プラスチック等の合成樹脂と鏡の組合せからなるコンパクト容器等の組み立て体において、異質部材を簡単に分離することができるので、分別回収を確実に行うことが可能となり資源の有効活用のみならず、廃棄物の処理が容易になる。
【図面の簡単な説明】
【図１】  本発明に従う接着構造体の外観を示した図である。
【図２】  本発発明に従う化粧料容器の外観構成を示した図である。
【図３】  図２に示した容器の要部の断面図である。
【図４】  本発明の接着構造体の他の構成例を示した図である。
【符号の説明】
１  接着構造体
１ａ  ベース層
１ｂ  粘着層
２  鏡
３  筐体
４  収納部
５  蓋体
６  鏡
【図１】
0004201994.tif 000002
【図２】
0004201994.tif 000003
【図３】
0004201994.tif 000004
【図４】
0004201994.tif 000005